(57)【特許請求の範囲】
【請求項１】
地盤上に一の基礎平面を定め、その基礎平面を形成する前基礎ブロックと後基礎ブロックからなる基礎ブロックを前記地盤上に配設し、その基礎ブロックの架台取付部の高さを前記基礎平面に一致するように高さ調整を行った後、その架台取付部に前記基礎平面を基に設計された太陽電池パネル架台を取り付けてなる太陽電池パネル架台の設置方法であって、
先ず、前記基礎ブロックの架台取付部に前脚材と後脚材からなる脚材をそれぞれ接合し、その脚材にそれぞれ接合され離隔して並列する桁材と、その桁材の上に掛け渡されて各桁材を相互に接合する天材と、その天材の上に接合されパネル取付間隔とパネル隣接間隔をなして並列するパネル取付材と、を形成し、
次に、前記パネル取付材により形成されるパネル設置平面に太陽電池パネルを取り付けてなる太陽電池パネル架台の設置方法。
【請求項２】
基礎ブロックの配設は、先ず、その基礎ブロックの配設箇所に地盤・地質に合わせて厚みが調整された砕石を埋め込んで砕石層を形成し、次に、その砕石層の上にモルタルを介して基礎ブロックが該砕石層と一体になるように形成して行うことを特徴とする請求項１に記載の太陽電池パネル架台の設置方法。
【請求項３】
基礎ブロックの架台取付部は、その高さ調整後にモルタルで固めて前記基礎ブロックと一体に形成されることを特徴とする請求項１又は２に記載の太陽電池パネル架台の設置方法。
【請求項４】
太陽電池パネルが配設される一のパネル設置平面を有し、一の基礎平面を形成するように地盤上に配設された前基礎ブロックと後基礎ブロックからなる基礎ブロック上に立設されてなる太陽電池パネル架台であって、
前記前基礎ブロックと後基礎ブロックにそれぞれ接合される前脚材と後脚材からなる脚材を介してそれぞれ接合され離隔して並列する桁材と、
前記桁材の上に掛け渡されて各桁材を相互に接合する天材と、
前記天材の上に接合されて並列し、前記一のパネル設置平面を形成するパネル取付材と、を有し、
前記パネル取付材は、交互にパネル取付間隔とパネル隣接間隔をなして並列し、
前記基礎ブロックは、前記脚材が接合される架台取付部の高さを調整することができ、高さ調整後はモルタルにより埋め込まれて該基礎ブロックと一体に形成される接合高調整手段を有する太陽電池パネル架台。
【請求項５】
基礎ブロックは、その上面中央部に凹部を有し、その凹部に接合高調整手段が設けられていることを特徴とする請求項４に記載の太陽電池パネル架台。
【請求項６】
基礎ブロックの凹部は、高さ調整がされた接合高調整手段がその基礎ブロックと一体になるようにモルタルを詰め込むことができる大きさ及び深さを有することを特徴とする請求項５に記載の太陽電池パネル架台。
【請求項７】
天材は、それぞれの桁材の一端部と他端部に接合され、実質的に直線状であることを特徴とする請求項４〜６のいずれか一項に記載の太陽電池パネル架台。
【請求項８】
太陽電池パネルは、その一端部と他端部に並列する２つのパネル取付材に接合されるようになっていることを特徴とする請求項４〜７のいずれか一項に記載の太陽電池パネル架台。
【請求項９】
短手方向が傾斜面方向に一致し長手方向に延在する矩形形状の太陽電池パネル架台であって、
太陽電池パネルは、矩形形状を有し、その短辺方向が前記短手方向に向き長辺方向が前記長手方向に向くように配設されるようになっていることを特徴とする請求項４〜８のいずれか一項に記載の太陽電池パネル架台。
【請求項１０】
複数の太陽電池パネルが縦横に配設される一のパネル設置平面を有する太陽電池パネル架台の脚材が、立設し接合される基礎ブロックであって、その上面中央部に凹部を有し、
前記凹部は、その底面部に前記脚材の接合高さを調整する接合高調整手段が設けられる埋め込みナットが埋め込まれているとともに、その接合高調整手段が高さ調整後に前記基礎ブロックと一体になるようにモルタルを詰め込むことができる大きさ及び深さを有する基礎ブロック。
【発明の詳細な説明】
【技術分野】
【０００１】
本発明は、地盤に立設される大規模太陽光発電の太陽電池パネル架台及び太陽電池パネル架台の設置方に関する。
【背景技術】
【０００２】
近年、エネルギー確保の方法が世界的に模索されており、自然エネルギーを利用した方法が重要視されている。特に原子力発電が安全性の面から将来性を危ぶまれるなか、大規模太陽光発電が注目されている。しかしながら、太陽光発電は、原子力発電に比較すれば発電コストが高く、大規模太陽光発電を効率的に行うには地形上の制約等の問題があり、我が国においては大規模太陽光発電の開発は進んでいない。
【０００３】
このような状況下において、例えば特許文献１に、３つの基礎ブロックに3点支持されたパネル架台要素を単位とし、これを非連結状態に並べて大規模用の太陽電池パネル架台を形成する太陽電池パネル架台構造および太陽光発電システムが提案されている。この太陽電池パネル架台構造は、個々のパネル架台要素が不等沈下しても太陽電池パネルの平板形状を維持できる利点を有し、安価、簡易、かつメンテナンス容易であるとされる。そして、基礎ブロックは一定の重量の鉄筋コンクリート製が好適であり、地盤が不等沈下した場合に沈下を吸収するためにパネル架台要素を支える支柱に高さ調節部を設けるのが好ましいとされる。
【０００４】
特許文献２に、太陽電池モジュールで構成される太陽電池パネルと、上記太陽電池パネルを支持する架台と、上記架台を支持する基礎ブロックとを具備する太陽電池アレイにおいて、上記基礎ブロックは複数箇所に分割されていない一塊の重量物からなる太陽電池アレイが提案されている。この太陽電池アレイは、埋立地などの軟弱地盤上にも容易に、かつ高い面積効率で設置することができるとともに、地盤に不同沈下が生じても、架台に大きな変形応力が蓄積されにくいとされる。
【０００５】
特許文献３に、施工地に所定間隔で立設した複数の架台と、架台間に掛け渡した支持材と、支持材に設けた太陽電池パネルを取付ける太陽電池パネル取付部とを備えた太陽電池パネル支持構造が提案されている。この太陽電池パネル支持構造において、架台は、施工地で外形に対応して組付けられた型枠内にコンクリートを流し込んで形成した鉄筋コンクリート製のものとすることができ、所定の傾斜角を有しており、太陽電池パネルを所定の傾斜角で取り付けられるとされる。
【先行技術文献】
【特許文献】
【０００６】
【特許文献１】特開2011-77194号公報
【特許文献２】特開2010-98241号公報
【特許文献３】特開2007-35849号公報
【発明の概要】
【発明が解決しようとする課題】
【０００７】
大規模太陽光発電には、広大な土地に太陽電池パネルを敷き詰めることができる太陽電池パネル架台が必要とされる。そして、太陽電池パネル架台は、経済的かつ迅速に設置することができ、これに太陽電池パネルを容易かつ迅速に取り付けできることができなければならない。一方、太陽電池パネルを取り付けるパネル取付面は平面性を確保することが求められるのに対し、太陽電池パネル架台を設置する土地は海浜埋立地や山間部等々様々であり、パネル取付面の平面性を確保するのは容易でない。
【０００８】
特許文献１又は２は、太陽電池パネル架台を海浜埋立地等に設置する場合の太陽電池パネル架台設置後の沈下の問題を考慮し、太陽電池パネル架台が細かく分割された形態のものを提案している。しかしながら、このような分割型の太陽電池パネル架台は大規模化するには、効率性、経財性に問題がある。これに対し、特許文献３に提案された太陽電池パネル支持構造は、構成部品点数は少ないとされるが、架台の成形及び設置において経済性及び迅速性の問題があり、また、大規模化するには容易でないという問題がある。
【０００９】
本発明は、このような従来の問題点に鑑み、大規模太陽光発電に適した経済的かつ迅速に設置することができる太陽電池パネル架台及び太陽電池パネル架台の設置方法を提供することを目的とする。
【課題を解決するための手段】
【００１０】
本発明者は、太陽電池パネル架台が設置される箇所の地盤は種々であるが、大規模太陽光発電施設は特定の箇所に設置されるものであり、太陽電池パネル架台が設置される特定の箇所を全体的に評価すれば地盤特性は一様であること、また、設置される大規模太陽光発電施設数は限られたものであることに着目して本発明を完成した。
【００１１】
本発明に係る太陽電池パネル架台は、太陽電池パネルが配設される一のパネル設置平面を有し、一の基礎平面を形成するように地盤上に配設された前基礎ブロックと後基礎ブロックからなる基礎ブロック上に立設されてなる太陽電池パネル架台であって、前記前基礎ブロックと後基礎ブロックにそれぞれ接合される前脚材と後脚材からなる脚材を介してそれぞれ接合され離隔して並列する桁材と、前記桁材の上に掛け渡されて各桁材を相互に接合する天材と、前記天材の上に接合されて並列し、前記一のパネル設置平面を形成するパネル取付材と、を有し、前記パネル取付材は、交互にパネル取付間隔とパネル隣接間隔をなして並列し、前記基礎ブロックは、前記脚材が接合される架台取付部の高さを調整することができ、高さ調整後はモルタルにより埋め込まれて該基礎ブロックと一体に形成される接合高調整手段を有してなる。
【００１２】
上記発明において、基礎ブロックは、その上面中央部に凹部を有し、その凹部に接合高調整手段が設けられているのがよい。
【００１３】
上記基礎ブロックの凹部は、高さ調整がされた接合高調整手段がその基礎ブロックと一体になるようにモルタルを詰め込むことができる大きさ及び深さを有するのがよい。
【００１４】
天材は、それぞれの桁材の一端部と他端部に接合され、実質的に直線状であるものとすることができる。
【００１５】
太陽電池パネルは、その一端部と他端部に並列する２つのパネル取付材に接合されるようになっているのがよい。
【００１６】
上記太陽電池パネル架台において、太陽電池パネル架台は短手方向が傾斜面方向に一致し長手方向に延在する矩形形状をしており、太陽電池パネルは、矩形形状を有し、その短辺方向が前記短手方向に向き長辺方向が前記長手方向に向くように配設されるようになっているのがよい。
【００１７】
上記太陽電池パネル架台は、以下の太陽電池パネル架台の設置方法により、好適に設置することができる。その太陽電池パネル架台の設置方法は、地盤上に設けられた一の基礎平面上に立設されてなる太陽電池パネル架台を設置する太陽電池パネル架台の設置方法であって、先ず前記基礎平面を定めその基礎平面を形成するように前記地盤上に前基礎ブロックと後基礎ブロックからなる基礎ブロックを配設し、前記太陽電池パネル架台が取り付けられる該基礎ブロックの架台取付部の高さを前記基礎平面に一致するように高さ調整を行った後、前記基礎平面を基に設計された前記太陽電池パネル架台を該架台取付部に取り付けることにより実施される。
【００１８】
上記太陽電池パネル架台の設置方法において、基礎ブロックの配設は、先ず、その基礎ブロックの配設箇所に地盤・地質に合わせて厚みが調整された砕石を埋め込んで砕石層を形成し、次に、その砕石層の上にモルタルを介して基礎ブロックが該砕石層と一体になるように形成して行うのがよい。
【００１９】
また、基礎ブロックの架台取付部は、高さ調整後にモルタルで固めて前記基礎ブロックと一体に形成されるようにするのがよい。
【００２０】
また、本発明に係る太陽電池パネル架台は、太陽電池パネルが配設される一のパネル設置平面を有し、一の基礎平面を形成するように地盤上に配設された前基礎ブロックと後基礎ブロックからなる基礎ブロック上に立設されてなる太陽電池パネル架台であって、前記前基礎ブロックと後基礎ブロックにそれぞれ接合される前脚材と後脚材からなる脚材を介してそれぞれ接合され離隔して並列する桁材と、前記桁材の上に掛け渡されて各桁材を相互に接合する天材と、前記天材の上に接合されて並列し、前記一のパネル設置平面を形成するパネル取付材と、を有してなるものとすることができる。
【００２１】
また、太陽電池パネルが配設される一のパネル設置平面を有する太陽電池パネル架台の脚材が接合される基礎ブロックであって、前記脚材が接合される面にモルタルの受け皿となる凹部を有し、その凹部に前記脚材の接合高さを調整する接合高調整手段を有する基礎ブロックは、本発明において好適に使用することができる。
【発明の効果】
【００２２】
本発明によれば、大規模太陽光発電に適した経済的かつ迅速に設置することができる太陽電池パネル架台及び太陽電池パネル架台の設置方法を提供することができる。
【図面の簡単な説明】
【００２３】
【図１】本発明に係る太陽電池パネル架台の構成を説明する側面図である。
【図２】図１に示す太陽電池パネル架台の一部平面図である。
【図３】基礎ブロックの平面図（ａ）と、基礎ブロックの太陽電池パネル架台を接合する部分の一部断面図（ｂ）である。
【図４】太陽電池パネルとパネル取付材の接合方法の説明図である。
【発明を実施するための形態】
【００２４】
以下、本発明を実施するための形態について図面を基に説明する。図１は、本発明に係る太陽電池パネル架台の構成を説明する側面図であり、図２は、図１に示す太陽電池パネル架台の一部平面図である。本発明に係る太陽電池パネル架台20は、図１に示すように、一の基礎平面（ｇ）上に立設されるようになっており、太陽電池パネル30は、一のパネル設置平面（ｐ）に配設されるようになっている。すなわち、本発明の太陽電池パネル架台は、平面出しが行われた一の基礎平面ｇ上に規格化された形状の太陽電池パネル架台20が立設される構成のものであることに特徴を有する。
【００２５】
パネル設置平面ｐは、例えば水平面に対して10°〜30°傾斜した面であり、主としてその地域・位置における太陽との関係、発電効率などを基に決められる。パネル設置平面ｐは一平面であり、この一平面上に規格化された太陽電池パネル30が配設される。従って、本太陽電池パネル架台20は、規格化された少ない部品点数の構成材から作製することができ、その規格化された構成材をもって組付け及び立設を容易かつ迅速に行うことができる。
【００２６】
基礎平面ｇは、太陽電池パネル架台が設置される地域・位置、地形あるいは地質等（地盤・地質）を考慮して決められ、一般に水平面に平行又はこれに近い平面とされる。基礎平面ｇ及びパネル設置平面ｐの決定により、太陽電池パネル架台に配設される太陽電池パネルの枚数、太陽電池パネル架台の規模、サイズ等が決められる。すなわち、具体的な太陽電池パネルが配設される範囲・大きさ（パネル設置平面ｐ）が決められる。パネル設置平面ｐは、太陽電池パネルの形状、配設の効率や作業性を考慮して、矩形状であるのがよい。なお、パネル設置平面ｐは太陽電池パネル架台の強度、施工性等を考慮すると最大高さは一定の寸法以下にするのがよく、パネル設置平面ｐの傾斜面方向がその短手方向、すなわち太陽電池パネル架台の短手方向となるようにするのがよい。
【００２７】
基礎平面ｇは、図１に示すように、所定の間隔で配設された基台10により形成され、太陽電池パネル架台20は、この基台10上に立設されている。この基台10は、パネル設置平面ｐの前辺と後辺を形成するように外縁部長手方向に沿って所定の間隔で配設されており、基礎ブロック11を利用して形成される。すなわち、具体的にはパネル設置平面ｐの前辺を形成する前基礎ブロックと後辺を形成する後基礎ブロックからなる基礎ブロック11により基礎平面ｇが形成されるように基礎ブロック11が配設され、基礎ブロック11に太陽電池パネル架台20が取り付けられる架台取付部が設けられている。基台10の形成は、その作業性を考慮すれば、安定した地盤を形成し、その上に基礎ブロック11を次々載置固定するように行うのがよい。従って、地盤の地表面（ｂ）の高さが、図１に示すように、以下に説明する基礎ブロック11を砕石層15に接合するモルタル16の高さ位置程度になるようにするのがよい。
【００２８】
基礎ブロック11は、沈下し難く強固・安定であるように、基礎ブロック11が砕石層15にモルタル16で一体に接合されるように形成するのがよい。砕石層15は、厚さが10〜20cmとされる。しかしながら、砕石層15の厚さは、基礎ブロック11が配設される地質に応じて調整されるものであり、50cmとされる場合もある。また、砕石層15の拡がり（基礎ブロック11の底面側の大きさ）も地質に応じて決められる。砕石層15により、基礎ブロック11が受ける太陽電池パネル架台20からの負荷を地盤に均等に伝えることができ、基礎ブロック11の局部的な沈下を防止することができる。
【００２９】
基礎ブロック11は平板状の所定の形状をしたプレキャストコンクリート製品で、そのサイズは、例えば、一辺が998mmの正方形状とすることができる。サイズが1000mmを超えないようにするならば、基礎ブロック11のトラックによる運送を効率的に行うことができる。厚さは、例えば、350mmとすることができるが、基礎ブロック11の厚さは容易に調整することができるのがよい。基礎ブロック11の厚さの調整により基礎ブロック11の重量を調整することができ、太陽電池パネル架台20の耐風圧性を適切に確保することができる。
【００３０】
基礎ブロック11は、図３（ａ）に示すように本体11aの上面中央部に凹部11bを有するのがよい。凹部11bの深さは、例えば、4cmとすることができる。この凹部11bに埋込ナット113が埋め込まれており、以下に説明する接合高調整手段が設けられる。接合高調整手段による高さ調整作業が終わった後は、接合高調整手段及びその周囲が基礎ブロック11と一体になるようにモルタルが詰め込まれる。従って、凹部11bは、接合高調整手段を設けることができ、モルタルが詰め込まれる適度の大きさ及び深さを有するようにするのがよい。凹部11bは、モルタルの受け皿になるとともに固化したモルタルが基礎ブロック11から剥離するのを防止する作用も有する。モルタルが詰め込まれ、モルタルが固化した部分には、上述の太陽電池パネル架台20が取り付けられる架台取付部が形成される。
【００３１】
上記の基礎ブロック11の架台取付部に取り付けられる太陽電池パネル架台20は、基礎ブロック11に脚材22を介してそれぞれ接合され離隔して並列する桁材24と、桁材24の上に掛け渡されて各桁材24を相互に接合する天材25と、天材25の上に接合されて並列するパネル取付材26と、を有している。
【００３２】
脚材22は、図１に示すように、基礎ブロック11に接合されており、太陽電池パネル架台20からの全負荷を基礎ブロック11に伝達する。脚材22は、前基礎ブロックに接合される前脚材22A及び後基礎ブロックに接合される後脚材22Bがあり、それらの寸法は、パネル設置平面ｐの傾斜角度により決められる。後脚材22Bは、太陽電池パネル架台20のサイズ及びパネル設置平面ｐの傾斜角度によっては長尺になることがある。必要に応じて補強材23が設けられる。脚材22は、その素材として溝形、Ｉ形又はＨ形の断面を有する鋼材を使用することができる。
【００３３】
前脚材22A及び後脚材22Bは、それぞれ桁材24の端部に接合されている。桁材24は、太陽電池パネル架台20の傾斜面方向に配設されており、所定間隔で離隔して並列している。桁材24は、太陽電池パネル架台20に掛かる負荷を直接的に受け、その負荷を脚材22を介して基礎ブロック11に伝達する。桁材24は、その素材として溝形、Ｉ形又はＨ形の断面を有する鋼材を使用することができるが、経済性、取扱性を考慮すると溝形鋼が好ましい。なお、離隔してとは、桁材24の配設間隔が5〜3mで、太陽電池パネル30の5〜2枚が配設される程度に離隔してという意味である。その間隔は、具体的には、太陽電池パネル架台20の強度、耐久性、太陽電池パネル30のサイズ等を考慮して決められる。
【００３４】
天材25は、離隔して並列する桁材24の上に掛け渡されている。天材25は、桁材24と直交する形態で接合されており、太陽電池パネル架台20の長手方向を向いている。本発明の太陽電池パネル架台20は、太陽電池パネル30が一のパネル設置平面ｐに配設されるようになっており、天材25は長尺で直線状のものを使用することができる。天材25は、経済性を考慮して溝形鋼を使用することができ、経済性及び取扱性を考慮して最適長さの溝形鋼を連接して形成することができる。図２に示すように、天材25は、それぞれの桁材24の一端部（25A）及び他端部（25B）に接合されているが、必要に応じて中間部の天材（25C）を設けることができる。
【００３５】
パネル取付材26は、天材25の上に太陽電池パネル架台20の短手方向を向いて配設されている。そして、パネル取付材26は、図２に示すように、交互にパネル取付間隔（ａ）とパネル隣接間隔（ｂ）をなすように並列し、一のパネル設置平面を形成している。これにより、矩形形状の太陽電池パネル30を、その短辺方向が太陽電池パネル架台20の短手方向になるように配設し、少ないパネル取付材26で効果的に配設することができる。なお、パネル取付間隔ａとパネル隣接間隔ｂは、配設される太陽電池パネル30の大きさ、重量等により適切に決められる。しかしながら、一般に枠付きの太陽電池パネル30においては、その取付部は上端部及び下端部に設けられるので、パネル取付間隔ａの寸法はパネル隣接間隔ｂの寸法以上になっている。パネル取付材26は、その素材として太陽電池パネル30の取付性及び経済性を考慮すると溝形鋼がよい。
【００３６】
太陽電池パネル30は、市販のものを使用することができるが、枠付きのものがよい。枠により、太陽電池パネル30の強度を確保できるとともに、パネル取付材2と容易に接合することができる。太陽電池パネル30は、図４に示すようにボルトとナットによるネジ接合法により、パネル取付材26に容易かつ迅速に取り付けることができる。なお、図４は、太陽電池パネル30が枠35を介してパネル取付材26にネジ結合法により取り付けられる例を示している。図４（ａ）は先端（又は終端）の太陽電池パネル30の取付部分、図４（ｂ）は隣接する太陽電池パネル30の取付部分を示している。
【００３７】
上記太陽電池パネル架台20は、以下のように基礎ブロック11上に立設される。まず、基礎ブロック11の接合高調整手段の調整と、太陽電池パネル30を基礎ブロック11に接合する架台取付部110の形成について、図３（ｂ）を基に説明する。すなわち、先ず基礎ブロック11の凹部11bに設けられた埋込ナット113Aにアジャストボルト115を差し込み、アジャストボルト115の頂部が基礎平面ｇに一致するように高さ調整を行う。アジャストボルト115の高さ調整は高精度で行うことができ、アジャストボルト115の頂部を基礎平面ｇに高精度で一致させることができる。次に、埋込ナット113Aの周囲の埋込ナット113Bにスタッドボルト116を差し込み、アジャストボルト115の頂部に合わせてナット117を固定する。これにより太陽電池パネル架台20を立設する基礎ブロック11の架台取付部の高さ調整がなされる。すなわち、埋込ナット113A、113B、アジャストボルト115、スタッドボルト116及びナット117により構成される接合高調整手段により、アジャストボルト115及びナット117の頂部が形成する面（太陽電池パネル架台20が接合される架台取付部となる面）の高さ調整が行われる。
【００３８】
なお、埋込ナット113の配設は、上述の直線状三本配列形態の他に三角形又は多角形の重心と頂点に埋込ナットを配設した形態のものとすることができる。埋込ナット113Bは、本例のように、当初より基礎ブロック11に埋め込まれた状態で使用される場合があり、また、以下に説明する脚材22の仮止めを行うときに現場あわせで埋め込まれて使用される場合がある。現場あわせで埋込ナット113Bを埋め込む場合は、脚材22の位置合わせが容易になる。埋込ナット113Bの個数は適宜決めることができる。埋込ナット113Aは、複数の埋込ナット113の中心又は重心部に配設され、当初より基礎ブロック11に埋め込まれた状態であるのがよい。
【００３９】
上述のように、接合高調整手段による高さ調整がされた後に、図３（ｂ）に示すように、脚材22のベースプレート225をそのボルト穴を通してスタッドボルト116に差し込み、ナット117を仮締めして脚材22を仮止めする。太陽電池パネル架台20の形成に必要な脚材22の仮止めが完了した後、ナット117を本締めして脚材22の本止めを行うとともに、接合高調整手段及びその周りにモルタルを詰め込む。モルタルの固化により、基礎ブロック11と一体となった架台取付部110が形成されるとともに、脚材22を基礎ブロック11に強固に接合することができる。そして、この脚材22に桁材24等を組み付けて太陽電池パネル架台20が形成される。なお、上記の仮止めやモルタルの詰め込みの手順は必ずしも一定していない。作業上の都合、作業環境又は工期等との関係から、脚材22、桁材24及び天材25、あるいは脚材22、桁材24、天材25及びパネル取付材26まで仮止めすることができ、また、モルタルの詰め込みもそれらの仮止め中のいずれかのときにすることができる。そして、上記脚材22等の本止めは、モルタルが固化した後に行われる。
【００４０】
上記太陽電池パネル架台の設置方法によれば、基礎ブロック11に対する脚材22の位置合わせや取り付けを容易に行うことができ、基礎ブロック11の架台取付部110に、太陽電池パネル架台20を迅速、かつ安定、強固に立設することができる。また、基礎ブロック11の架台取付部110により形成される平面は、接合高調整手段による高さ調整が行われており、精度の高い一の基礎平面を形成することができる。すなわち、基礎ブロック11により形成された精度の高い一の基礎平面上に太陽電池パネル架台20を立設することができる。
【００４１】
なお、太陽電池パネル架台の設置方法において、架台取付部110は、接合高調整手段による高さ調整後（脚材22の取り付け前）に、接合高調整手段及びその周りへのモルタルの詰め込み及び固化を行った後に、脚材22、桁材24等の組付けを行って太陽電池パネル架台20を形成することもできる。
【００４２】
基礎ブロック11の凹部11bへのモルタル119の詰め込みは、アジャストボルト115の頂部及びナット117の頂部に一致する程度に行われるが、架台取付部110の高さは、図３（ｂ）に示すように、基礎ブロック11の上面とほぼ面一になる場合がある。また、架台取付部110の高さは、基礎ブロック11の上面より高くなる場合、あるいは、基礎ブロック11の上面より低くなる場合がある。架台取付部110の高さが、基礎ブロック11の上面より低くなる場合は、基礎ブロック11の上面に凹みが生じない程度にモルタルを詰め込むのがよい。すなわち、この場合は、ベースプレート225、脚材22の下端部等がモルタルに埋め込まれた状態になる。
【００４３】
以上、本発明に係る太陽電池パネル架台は、一の基礎平面ｇ上に立設されるようになっており、太陽電池パネルは、一のパネル設置平面ｐに配設されるようになっている。従って、設置しようとする太陽電池パネル架台の構成部品を総て規格化することができる。規格化された太陽電池パネルの構成材を規格化された取付方法により組み付けることができる。このため、少ない部品点数で、経済的かつ迅速に太陽電池パネル架台を設置することができる。なお、太陽電池パネル架台の構成部品の接合方法は、ネジ結合法、溶接法等を採用することができるが、ネジ結合法は特別な装置及び技術を必要とせず、迅速に作業をすることができるので好ましい。
【符号の説明】
【００４４】
10    基台
110  架台取付部
113、113A、113B  埋込ナット
115  アジャストボルト
116  スタッドボルト
117  ナット
119  モルタル
11    基礎ブロック
15    砕石層
16    モルタル
20    太陽電池パネル架台
22、22A、22B    脚材
225  ベースプレート
23    補強材
24    桁材
25    天材
26    パネル取付材
30    太陽電池パネル
35    枠
【要約】
【課題】大規模太陽光発電に適した経済的かつ迅速に設置することができる太陽電池パネル架台及び太陽電池パネル架台の設置方法を提供する
【解決手段】本発明に係る太陽電池パネル架台20は、太陽電池パネルが配列される一のパネル設置平面を有し、一の基礎平面を形成するように地盤上に配設された基礎ブロック上に立設されてなる太陽電池パネル架台であって、基礎ブロック11に脚材22を介してそれぞれ接合され離隔して並列する桁材24と、桁材24の上に掛け渡されて各桁材24を相互に接合する天材25と、天材25の上に接合されて並列し、前記一のパネル設置平面を形成するパネル取付材26と、を有し、基礎ブロック11は、脚材22が接合される架台取付部110の高さを調整することができ、高さ調整後はモルタルにより埋め込まれて該基礎ブロック11と一体に形成される接合高調整手段を有している。
【選択図】図１【図１】
0005437466.tif 000002
【図２】
0005437466.tif 000003
【図３】
0005437466.tif 000004
【図４】
0005437466.tif 000005